(57)【要約】【課題】  構造強度が高く、重量を調整可能で、打球面が大きく、ボールを打った時の振動を有効に吸収可能で、コストをおさえたバットを提供する。【解決手段】  グリップ１２と、芯パイプ１４と、打球面１８と、少なくとも一つの継ぎ手１６とを備えるものである。グリップ１２はプラスチックまたは木材により形成され、前端１２１と後端１２２と外径が前端から後端へ増大していく胴部１２３とを有する。芯パイプ１４は繊維補強プラスチック（ＦＲＰ）または金属により形成され、かつグリップ１２の中に埋まる。打球面１８は金属または繊維補強プラスチックから形成され、前端１８２と後端１８４を有する。継ぎ手１６は所定の重量と弾性を有するようにプラスチックまたは木材などの適当な材質により形成され、かつ継ぎ手１６はグリップ１２の前端１２１と打球面１８の後端１８４の間に装着され、両者を連接することでバット全体を構成する。【選択図】    図１
2005349031.tif 000002
【特許請求の範囲】
【請求項１】
バッティングまたはそれと同類のバットであって、
プラスチックまたは木材により形成され、前端と後端とを有し、その胴部の外径が前端から後端へ増大していくグリップと、
繊維補強プラスチックまたは金属により形成され、かつグリップの中に埋まる芯パイプと、
金属または繊維補強プラスチックにより形成され、前端と後端を有する打球面と、
所定の重量と弾性を有するように適当な材質により形成され、かつグリップの後端と打球面の前端の間に装着され、両者を連接することでバット全体を構成する少なくとも一つの継ぎ手とを備えることを特徴とするバット。
【請求項２】
継ぎ手は、木材により形成されることを特徴とする請求項１に記載のバット。
【請求項３】
継ぎ手の一部分は、打球面の前端内側に入り込むことを特徴とする請求項１に記載のバット。
【請求項４】
芯パイプの一端は、継ぎ手を貫通することを特徴とする請求項１に記載のバット。
【請求項５】
芯パイプ内に装着されるバランスウェイトを少なくとも一つ有することを特徴とする請求項１に記載のバット。
【請求項６】
芯パイプに装着される振動吸収ブロックを少なくとも一つ有することを特徴とする請求項１に記載のバット。
【請求項７】
バッティングまたはそれと同類のバットであって、
プラスチックまたは木材により形成され、前端と後端を有し、その胴部の外径が前端から後端へ増大していくグリップと、
繊維補強プラスチックまたは金属により形成され、かつグリップの中に埋まり、その一端をグリップの後端から所定の長さまで突出することで露出部位が形成される芯パイプと、
所定の重量と弾性を有するように適当な材質により形成され、かつ芯パイプの露出部位に装着される第一継ぎ手と、
金属または繊維補強プラスチックにより形成され、前端と後端を有し、継ぎ手をその前端内側に嵌め込む方法でグリップと連接しバット全体を構成する打球面とを備えることを特徴とするバット。
【請求項８】
継ぎ手と打球面とは、両者の接触面にそれぞれ相互補助部位を有することで両者の接合強度を増加させることを特徴とする請求項７に記載のバット。
【請求項９】
所定の重量と弾性を有するように適当な材質により形成され、そして第一継ぎ手の後ろ且つグリップと打球面の間に位置するように芯パイプの露出部位に装着される第二継ぎ手を有することを特徴とする請求項７に記載のバット。
【請求項１０】
第一継ぎ手は、木材により形成されることを特徴とする請求項７に記載のバット。
【請求項１１】
第二継ぎ手は、木材により形成されることを特徴とする請求項９に記載のバット。
【請求項１２】
第二継ぎ手は、プラスチック製の環状体であることを特徴とする請求項９に記載のバット。
【請求項１３】
芯パイプ内に装着されるバランスウェイトを少なくとも一つ有することを特徴とする請求項７に記載のバット。
【請求項１４】
芯パイプに装着される振動吸収ブロックを少なくとも一つ有することを特徴とする請求項７に記載のバット。
【請求項１５】
バッティングまたはそれと同類のバットであって、
プラスチックまたは木材により形成され、前端と後端を有し、その胴部の外径が前端から後端へ増大していくグリップと、
繊維補強プラスチックまたは金属により形成され、かつグリップの中に埋まり、その一端をグリップの後端から所定の長さまで突出することで露出部位が形成する芯パイプと、
所定の重量と弾性を有するように適当な材質から形成され、芯パイプの露出部位に装着され、かつ嵌合部と露出部を有する第一継ぎ手と、
金属または繊維補強プラスチックから形成され、前端と後端を有する打球面であって、継ぎ手の嵌合部をその前端内側、継ぎ手の露出部をグリップと打球面の間に嵌め込み、連接する方法でバット全体を構成する打球面とを備えることを特徴とするバット。
【請求項１６】
継ぎ手の嵌合部と打球面とは、両者の接触面にそれぞれ相互補助部位を有することで両者の接合強度を増加させることを特徴とする請求項１５に記載のバット。
【請求項１７】
継ぎ手の嵌合部と露出部との間には、環状肩面を有することで、嵌合部が打球面に嵌まった後、肩面と打球面の前端面を接合可能であることを特徴とする請求項１５に記載のバット。
【請求項１８】
肩面と打球面の前端面との間に挟まる弾性クッションを有することを特徴とする請求項１７に記載のバット。
【請求項１９】
所定の重量と弾性を有するように適当な材質により形成され、そしてグリップと打球面との間に位置するように芯パイプの露出部位に装着される第二継ぎ手を有することを特徴とする請求項１５に記載のバット。
【請求項２０】
第一継ぎ手の露出部は、第二継ぎ手の一端の内側に嵌まることを特徴とする請求項１９に記載のバット。
【請求項２１】
第一継ぎ手は、木材により形成されることを特徴とする請求項１５に記載のバット。
【請求項２２】
第二継ぎ手は、木材により形成されることを特徴とする請求項１９に記載のバット。
【請求項２３】
第二継ぎ手は、プラスチック製の環状体であることを特徴とする請求項１９に記載のバット。
【請求項２４】
芯パイプ内に装着されるバランスウェイトを少なくとも一つ有することを特徴とする請求項１５に記載のバット。
【請求項２５】
芯パイプに装着される振動吸収ブロックを少なくとも一つ有することを特徴とする請求項１５に記載のバット。
【発明の詳細な説明】
【技術分野】
【０００１】
本発明はバッティング用道具に関し、特にバットに関するものである。
【背景技術】
【０００２】
現今、野球バットまたはソフトボールバットなどのバッティング用道具は、木材またはアルミ合金またかプラスチック複合材料のいずれか一つから形成されるものである。
【発明の開示】
【発明が解決しようとする課題】
【０００３】
上述のうち、木製のバットの欠点は、重さが重く、打球面が小さく、構造が脆く、かつボールを打った時にバッターの手に激烈な振動が発生することである。そしてアルミ製のバットは、重さが比較的軽く、木製のバットと比べて構造がしっかりしているが、打球面が小さく、振動吸収が不可能であるという問題が存在するだけではく、打球面に凹んだ跡が残る、ボールを打った時に不愉快な音がする、ということがある。またカーボン繊維バットは、重さが軽く、構造がしっかりしているが、打球面が小さく、ボールを打った時の振動を有効に吸収することができないという問題が存在する。そしてカーボン繊維バットは前述の二種類のバットと比べてコストが高いため、値段が一般の消費者になかなか受け入れられないほど高い。
【０００４】
したがって本発明の主な目的は、構造強度が高く、重量を使用者の需要に合わせて調整可能で、打球面が周知のバットより大きく、ボールを打った時の振動を有効に吸収可能で、そしてコストがそれほど高くないバットを提供することにある。
【課題を解決するための手段】
【０００５】
上述の目的を達成するために、本発明の請求項に記載のバットは、グリップと、芯パイプと、打球面と、少なくとも一つの継ぎ手とを備えるものである。グリップはプラスチックまたは木材により形成され、前端と後端と外径が前端から後端へ増大していく胴部とを有する。芯パイプは繊維補強プラスチック（ＦＲＰ）または金属により形成され、かつグリップの中に埋まる。打球面は金属または繊維補強プラスチックから形成され、前端と後端を有する。継ぎ手は所定の重量と弾性を有するようにプラスチックまたは木材などの適当な材質により形成され、かつ継ぎ手はグリップの前端と打球面の後端の間に装着され、両者を連接することでバット全体を構成するものである。
【発明を実施するための最良の形態】
【０００６】
以下、本発明の実施例を図面に基づいて説明する。
図１は本発明の第一実施例によるバットの長軸方向に沿う断面図である。
図２は本発明の第二実施例によるバットの長軸方向に沿う断面図である。
図３は本発明の第三実施例によるバットの長軸方向に沿う断面図である。
図４は本発明の第四実施例によるバットの長軸方向に沿う断面図である。
図５は本発明の第五実施例によるバットの長軸方向に沿う断面図である。
【０００７】
図１に示すように、本発明の第一実施例によるバット１０はグリップ１２と、芯パイプ１４と、継ぎ手１６と、打球面１８とを備えるものである。
グリップ１２は、ＰＵ発泡スチロール材料などのプラスチックまたは木材により形成され、前端１２１と後端１２２と外径が前端から後端へ増大していく胴部１２３とを有する。
【０００８】
芯パイプ１４は、浸漬エポキシ樹脂のカーボン繊維などの繊維補強プラスチックまたはアルミ合金などの金属により形成され、かつバットの長軸方向に沿いグリップ１２の軸心に埋まり、そして露出部位１４２を有するために芯パイプ１４の長さがグリップ１２より伸張されたものである。製造の際にまずグリップ１２に軸孔を設け、そののち芯パイプ１４を差し込むか、芯パイプ１４を中心に置き、何等分かに分けられたグリップ１２を芯パイプ１４の表面に貼り付ける。また芯パイプ１４は前後端にそれぞれ充塞部２０、充塞部２２を有する。
【０００９】
継ぎ手１６は、プラスチックまたは樹脂により形成され、円形管状を呈し、芯パイプ１４の露出部位１４２の上に嵌まる。
【００１０】
打球面１８は、アルミ合金またはチタン合金などの金属または浸漬エポキシ樹脂含有のカーボン繊維などの繊維補強プラスチックにより形成され、本実施例では、管状に形成され、前端１８２と後端１８４を有する。組み立てる際に、芯パイプ１４の露出部位１４２を継ぎ手１６に嵌め込み、そののち両者を打球面１８の前端１８２内側に嵌め込み、グリップ１２の後端１２２の端面と打球面の前端１８２を結合しバット全体を構成する。そして継ぎ手１６を緊密に打球面１８の内側に嵌め込むために、継ぎ手１６の表面と打球面１８の前端内側面はそれぞれ相互補助の環状肩面１６２、環状肩面１８６を有するように設計された。また打球面１８は末端に前蓋２４を有する。
また芯パイプ１４の中にバランスウェイト２６または振動吸収ブロック２８を装着することも可能である。
【００１１】
前述のバットの構造により、本発明の実施例によるバットは、二つの部分に分け、それぞれの部分を異なる需要に応じ異なる材質により作ることが可能である。例えば、グリップは弾性を有し、振動吸収を可能にしなければならないために、プラスチックまたは木材により作り、打球面は比較的大きい剛性が必要であるために、ブラスチック複合材料または金属により作り、またグリップは適当な強度を有するために、その内部に芯パイプを埋めることが可能である。また本発明の実施例中の重要な技術手段の一つは、バットの中間部に弾性と適当な重さのある継ぎ手を装着することにより、バット全体の重心を下に移すことである。重心を下に移すメリットはバットの打球面の区域が伸張することである。また継ぎ手はグリップと打球面の接合箇所に位置するため、打球面のボールを打った時の振動の一部は継ぎ手に吸収される。
【００１２】
以下、本発明の別の実施例を説明する。
図２は、本発明の第二実施例によるバット３０を示す。第一実施例と違うところは、バット３０が第一継ぎ手３２と第二継ぎ手３４を有することである。第一継ぎ手３２は打球面３６の内側に嵌まり、第二継ぎ手３４は芯パイプ３８の露出部位３８２に装着され、かつグリップ４０と打球面３６の間に挟まる。また第一継ぎ手３２の表面には、打球面３６内側の相対的な箇所に位置する環状溝３６２内に嵌まる環状突起部３２２を有する。
【００１３】
図３は、本発明の第三実施例によるバット５０を示す。第二実施例によるバット３０と違うところは、第二継ぎ手５２がプラスチック製の環状体で、第一継ぎ手５４の露出部位５４２が第二継ぎ手５２の内側に嵌まることである。
【００１４】
図４は、本発明の第四実施例によるバット６０を示す。第二実施例によるバット３０と技術手段が同じであるが、違うところは、バット６０における継ぎ手６２が嵌合部６２２と露出部６２４および両者の間に位置する環状肩部６２６を有し、嵌合部６２２が打球面６４の前端内側に嵌まり、露出部６２４がグリップ６６と打球面６２の間に挟まり、環状肩面６２６が打球面６４の前端面に接触することである。
【００１５】
図５に示すように、本発明の第五実施例によるバット７０は第四実施例によるバットとほぼ同じであるが、違うところは、バット７０が弾性クッション７２を有し、組み立てる際に、弾性クッション７２が継ぎ手７６の環状肩面７６２と打球面８０の前端面８９２の間に装着されることである。
【図面の簡単な説明】
【００１６】
【図１】本発明の第一実施例によるバットの長軸方向に沿う断面図である。
【図２】本発明の第二実施例によるバットの長軸方向に沿う断面図である。
【図３】本発明の第三実施例によるバットの長軸方向に沿う断面図である。
【図４】本発明の第四実施例によるバットの長軸方向に沿う断面図である。
【図５】本発明の第五実施例によるバットの長軸方向に沿う断面図である。
【符号の説明】
【００１７】
１０  バット、１２  グリップ、１４  芯パイプ、１６  継ぎ手、１８  打球面、２０  充塞部、２２  充塞部、２４  前蓋、２６  バランスウェイト、２８  振動吸収ブロック、３０  バット、３２  第一継ぎ手、３４  第二継ぎ手、３６  打球面、３８芯パイプ、４０  グリップ、５０  バット、５２  第二継ぎ手、５４  第一継ぎ手、６０  バット、６２  継ぎ手、６４  打球面、７０  バット、７２  弾性クッション、７６  継ぎ手、８０  打球面、１２１  前端、１２２  後端、１２３  胴部、１４２  露出部位、１６２  環状肩面、１８２  前端、１８４  後端、１８６  環状肩面、３６２  環状溝、３８２  露出部位、５４２  露出部位、６２２  嵌合部、６２４  露出部、６２６  環状肩部、７６２  環状肩面、８９２  前端面
【図１】
2005349031.tif 000003
【図２】
2005349031.tif 000004
【図３】
2005349031.tif 000005
【図４】
2005349031.tif 000006
【図５】
2005349031.tif 000007